(57)【要約】【課題】申し送り事項の確認について改善された機能を有する電力系統保護制御装置を提供する。【解決手段】電力系統の設備を保護および制御する電力系統保護制御装置２は、外部端末と通信する通信部と、設備の保護および制御に関連する申し送り情報と、当該申し送り情報の格納指令とを受付けると、受付けた格納指令に従い当該申し送り情報をメモリに格納する格納部と、外部端末から、通信部を介して通信の接続要求を受付けたとき、メモリから読出された申し送り情報を表示部に表示させる表示制御部とを、備える。【選択図】図３
2015154672.tif 000002
【特許請求の範囲】
【請求項１】
電力系統の設備を保護および制御する電力系統保護制御装置であって、
外部端末と通信する通信部と、
前記設備の保護および制御に関連する申し送り情報と、当該申し送り情報の格納指令とを受付けると、受付けた格納指令に従い当該申し送り情報をメモリに格納する格納部と、
前記外部端末から、前記通信部を介して通信の接続要求を受付けたとき、前記メモリから読出された前記申し送り情報を表示部に表示させる表示制御部とを、備える、電力系統保護制御装置。
【請求項２】
前記電力系統保護制御装置は、前記接続要求とともに、要求元の前記外部端末に関する属性を識別する識別情報を受付け、
前記格納部は、
複数の前記申し送り情報それぞれを、前記格納指令とともに受付けた当該申し送り情報の属性を示す属性情報と関連付けて前記メモリに格納し、
前記表示制御部は、
前記メモリの前記複数の申し送り情報のうち、当該申し送り情報の各々に関連付けされた前記属性情報と前記接続要求とともに受付けた前記要求元の識別情報とに基づき、前記メモリから読出された１以上の申し送り情報を前記表示部に表示させる抽出表示制御部を含む、請求項１に記載の電力系統保護制御装置。
【請求項３】
前記識別情報は、要求元の前記外部端末の所在場所の属性を識別する情報を含む、請求項２に記載の電力系統保護制御装置。
【請求項４】
前記表示制御部は、
前記メモリの前記複数の申し送り情報を、当該申し送り情報の各々に関連付けされた前記属性情報と、当該属性に関して予め定められた規則とに基づく順序に従って前記表示部に表示させる順序付け表示制御部を含む、請求項２または３に記載の電力系統保護制御装置。
【請求項５】
前記メモリに格納された前記申し送り情報のうちから、関連の属性情報に基づき削除するべき情報を選択して削除する削除部を、さらに備える、請求項１から４のいずれかに記載の電力系統保護制御装置。
【発明の詳細な説明】
【技術分野】
【０００１】
本発明は、電力系統保護制御装置に関し、特に、電力系統の保護および制御に関する引き継ぎ等の申し送りに関する情報を管理する機能を有する電力系統保護制御装置に関する。
【背景技術】
【０００２】
電力系統に設置される設備や機器の保護・制御を目的として保護制御装置が配置される。保護制御装置は、ＬＡＮ（Local Area Network）などの通信回線を接続可能なインターフェースを有し、電気所内外のＰＣ-ＨＩ（Personal Computer-Human Interface）端末に通信可能なように接続される。可搬型ＰＣ-ＨＩは、保護制御装置に接続し、保護制御装置の整定等の操作機能および系統電気量等の表示機能をもつ。
【０００３】
ＰＣ-ＨＩ端末の操作者は保護制御装置と通信する場合に、他の操作者に対し電力系統の保護および制御に関する引き継ぎ等の申し送り情報を伝達したい場合には、手書きのメモ用紙を保護制御装置の正面パネルに貼付し、または、業務報告書に記載する等の方法をとる。しかし、貼付けメモが剥がれた場合、または他の操作者が業務報告書の閲覧をし忘れた場合には、申し送り情報を伝達することができない。
【０００４】
このような課題を解消するために、特開平９−２４４７３８号公報（特許文献１）のプラント監視装置では、運転員が入力装置を操作して引き継ぎメッセージを入力してデータベースに格納し、また引継画面の表示要求を受けるとデータベースのメッセージをウインドウ表示する。
【０００５】
また、特開２００４−２８０５０８号公報（特許文献２）のプラント監視用表示システムでは、転送元の表示装置のオペレータは、転送しようとする機能表示画面の表示内容情報に対して、申し送り事項等の説明情報を自由に付加する。そして、機能表示画面を他の表示装置に転送して再現表示させる。
【０００６】
また、特開２００５−１４８９６７号公報（特許文献３）の運転支援装置では、処理手段は運転支援装置側に取り込まれた操作実績情報、メッセージ情報、プロセス情報、申し送り情報等を表示手段に表示する。
【０００７】
また、特開２００６−４８５８１号公報（特許文献４）のプラント操業知識伝承システムでは、オペレータはプロセス運転業務を引き継ぐ際、閲覧要求操作をすることにより、その引継内容を示す製造ノート情報を業務管理装置で閲覧する。
【０００８】
また、特開平６−５９６４６号公報（特許文献５）の画面札掛け方法によれば、画面上のビデオ画像等の表示物にメモ（札）を貼り付ける機能を提供する。札は音声、ビデオ、テキスト、図形等のメディアを使用して、他の運転員に伝言する用途を有する。他の運転員は、当該ビデオ画像を閲覧するとき、札による伝言を確認することができる。
【先行技術文献】
【特許文献】
【０００９】
【特許文献１】特開平９−２４４７３８号公報
【特許文献２】特開２００４−２８０５０８号公報
【特許文献３】特開２００５−１４８９６７号公報
【特許文献４】特開２００６−４８５８１号公報
【特許文献５】特開平６−５９６４６号公報
【発明の概要】
【発明が解決しようとする課題】
【００１０】
各特許文献では、申し送り事項等の伝言を入力し格納しておき、格納された申し送り事項等を読み出し表示する技術が提案されているが、いずれの技術も、運転員・操作者に対して読み出し表示するための特別な操作（要求操作、画像閲覧の操作等）を要求する。したがって、特別な操作無しには、申し送り事項を確認できないとの課題が残る。
【００１１】
この発明は、上述のような課題を解決するためになされたもので、その目的は、申し送り事項の確認について改善された機能を有する電力系統保護制御装置を提供することである。
【課題を解決するための手段】
【００１２】
この発明に係る、電力系統の設備を保護および制御する電力系統保護制御装置は、申し送り情報をメモリに格納し、外部端末から通信部を介して通信の接続要求を受付けたときは、表示制御部によりメモリの申し送り情報を表示部に表示させる。
【発明の効果】
【００１３】
本発明によれば、外部端末の操作員は、電力系統保護制御装置に対して通信の接続要求の送信操作をすることで申し送り情報を取得できる。
【図面の簡単な説明】
【００１４】
【図１】本発明の各実施の形態に係る申し送りメモおよび要求の流れを模式的に示す図である。
【図２】本発明の実施の形態１に係る電力系統に関連して設けられたシステムの構成図である。
【図３】本発明の実施の形態１に係る保護制御装置とＰＣのハードウェア構成を説明する図である。
【図４】本発明の実施の形態１に係る保護制御装置の機能構成図である。
【図５】本発明の実施の形態１に係るメモリの内容例を示す図である。
【図６】本発明の実施の形態１に係るヒエラルキー情報を示す図である。
【図７】本発明の実施の形態１に係るヒエラルキー情報を示す図である。
【図８】本発明の実施の形態１に係る申し送りメモの一例を示す図である。
【図９】本発明の実施の形態１に係る申し送りメモ情報取得要求の構成を示す図である。
【図１０】本発明の実施の形態１に係る申し送りメモを入力する時の画面表示例を示す図である。
【図１１】本発明の実施の形態１に係る受信した申し送りメモの表示面画例を示す図である。
【図１２】本発明の実施の形態１に係る通信シーケンスの一例を示す図である。
【図１３】図１２の通信シーケンスにおいて表示される画面例を示す図である。
【図１４】図１２の通信シーケンスにおいて表示される画面例を示す図である。
【図１５】本発明の実施の形態２に係る通信シーケンスの一例を示す図である。
【図１６】図１５の通信シーケンスにおいて表示される画面例を示す図である。
【図１７】図１５の通信シーケンスにおいて表示される画面例を示す図である。
【図１８】本発明の実施の形態３に係る通信シーケンスの一例を示す図である。
【図１９】図１８の通信シーケンスにおいて表示される画面例を示す図である。
【図２０】図１８の通信シーケンスにおいて表示される画面例を示す図である。
【発明を実施するための形態】
【００１５】
以下、本発明に係る電力系統保護制御装置および関連する部分について図面を参照しながら説明する。各実施の形態の図面において、同一の参照符号は、同一部分または相当部分を表わすものとし、重複する説明は繰り返さない場合がある。各実施の形態における構成を適宜組み合わせて用いることは当初から予定されていることである。
【００１６】
実施の形態において、「電力系統」とは電力供給元（発電所、変電所等）から需要家（家庭、工場等）に電力を供給するための設備（送電線、リレー設備等）を含む。本実施の形態では、対象システムを電力系統とするが、これに限定されず、たとえば製造プラント等の他の種類の系統であってもよく、その場合でも同様に本実施の形態を適用することができる。
【００１７】
また、「申し送りメモ」とは、申し送り事項を含んだ電力系統の保護、監視および制御に関する情報あって、他者に伝えるための情報を含む。この「申し送りメモ」の情報には、文字、記号、絵、画像（静止画・動画）および音声等の各種の情報が含まれる。
【００１８】
[実施の形態１]
（概要）
図１は、各実施の形態に係る申し送りメモおよび要求の流れを模式的に示す図である。図１を参照して、電力系統保護制御装置２と伝送路５００を介して２つのＰＣ（Personal  Computerの略）１が通信する。ここでは、２つのＰＣ１を区別するためにＰＣ（Ａ）とＰＣ（Ｂ）と呼ぶ。ＰＣ（Ａ）の操作員が、ＰＣ（Ａ）の申し送りメモ生成部を利用して申し送りメモ６０を生成し伝送路５００を介し送信すると、電力系統保護制御装置２の情報授受部は申し送りメモ６０を受信し記憶部３２に格納する。ＰＣ（Ｂ）の操作員が、ＰＣ（Ｂ）を伝送路５００を介して電力系統保護制御装置２に接続開始（通信接続）したとき、通信の接続要求が送信される。電力系統保護制御装置２は、受信した接続要求に基づき、記憶部３２から申し送りメモ６０を読出し、情報授受部を介して、要求元のＰＣ（Ｂ）に送信する。ＰＣ（Ｂ）では、電力系統保護制御装置２から受信した申し送りメモが表示される。したがって、ＰＣ（Ｂ）の操作員は、電力系統保護制御装置２との通信を開始するためにＰＣ（Ｂ）を伝送路５００に接続する操作をするだけで、他の特別な操作は必要とせずに、電力系統保護制御装置２から申し送りメモを受信して確認することができる。
【００１９】
（システム構成）
図２は、本発明の実施の形態１に係る電力系統に関連して設けられたシステムの構成図である。システムは、電力系統の保護、監視、制御を実施するために、本店に設けられたＰＣ（Personal  Computerの略）、複数の支店（支店Ａ、Ｂ、Ｃ、…）のそれぞれに設けられたＰＣ、および各支店に対応した１つ以上の電気所１００を備える。システムはさらに、本店のＰＣ、各支店のＰＣおよび各電気所１００の端末を、伝送路５００を介して相互に通信可能なように接続する。伝送路５００は、有線および無線の各種の通信回線を含む。電気所１００は、発電所および変電所を含む。電気所１００のそれぞれは、電力系統が敷設された異なる地域／場所に設けられて、当該地域／場所に設置された電力系統を保護および制御するための設備を有する。
【００２０】
電気所１００は、１つ以上の電力系統保護制御装置（以下、保護制御装置という）２、ＰＣ１、およびＰＣ１と保護制御装置２の通信中継器として機能するＨＵＢを含む。ＰＣ１はＨＵＢを介して当該電気所１００の保護制御装置２と通信し、また、ＨＵＢを介して外部端末（他の電気所１００の保護制御装置２等）と通信する。なお、保護制御装置２とＰＣ１の両者はＨＵＢを介して通信接続されるが、これに限定されない。例えば、ＨＵＢを介さずにネットワークケーブルで両者を直結しても本実施の形態による機能を実現することができる。
【００２１】
また、本店および各支店のＰＣは、伝送路５００を介して各電気所１００の保護制御装置２と通信する。
【００２２】
本実施の形態では、ＰＣ１は携帯可能な可搬型ＰＣ-ＨＩ（Personal  Computer-Human  Interface）として提供することができる。可搬型ＰＣ-ＨＩには、汎用のＰＣが使用されている。ＰＣ１は保護制御装置２と接続する際に、保護制御装置２のプログラムをダウンロードし、当該プログラムを実行することにより、汎用Ｗｅｂ（World Wide Web）ブラウザ上にて保護制御装置２の操作・表示機能を実現し、電気所１００内の操作員と保護制御装置２とのＨＩ（Human  Interface）端末として機能させることができる。なお、保護制御装置２の操作・表示機能は汎用Ｗｅｂブラウザを用いて実現したが、実現方法はこれに限定されず、他の方法を用いてもよい。
【００２３】
（機器構成）
図３は、本発明の実施の形態に係る保護制御装置２とＰＣ１とのハードウェア構成を、両者を関連付けて説明する図である。ＰＣ１は、ＭＰＵ（Micro-Processing Unit）４１、ＲＯＭ（Read Only Memory）およびＲＡＭ（Random Access Memory）などの揮発性および不揮発性の各種記憶媒体を含む記憶部４２、ＬＥＤ（Light Emitting Diode）またはＬＣＤ（Liquid Crystal Display）などからなる表示部４３、保護制御装置２を含む外部端末と通信するための変調・復調回路などを有する通信Ｉ／Ｆ（Interfaceの略）４４、および操作員が各種の指示および情報を入力するために操作するキー、ボタンおよびマウスなどからなる操作部４５を含む。なお、表示部４３と操作部４５は、これらを一体的に構成したタッチパネルとして提供されてもよい。ＭＰＵ４１は、内部にタイマを有する。
【００２４】
本実施の形態では理解を容易にするために、各電気所１００のＰＣ１は当該電気所１００内でのみ使用されると想定する。
【００２５】
保護制御装置２は、ＭＰＵ（Micro-Processing Unit）３１、ＲＯＭおよびＲＡＭなどの揮発性および不揮発性の各種記憶媒体を含む記憶部３２、ＬＥＤまたはＬＣＤなどからなるディスプレイ３３、ＰＣ１を含む外部端末と通信するための変調・復調回路などを有する通信Ｉ／Ｆ（Interfaceの略）３４、各種の指示および情報を入力するために操作されるキー、ボタンなどからなる操作部３５、および電力系統５０の監視部３６を含む。ディスプレイ３３と操作部３５は、これらを一体的に構成したタッチパネルとして提供されてもよい。ＭＰＵ３１は、内部にタイマを有する。
【００２６】
監視部３６は、電力系統５０の送電線等の電圧および電流を取り込み、取り込んだアナログ値をデジタルデータに変換し出力する機能を有する。ＭＰＵ３１は監視部３６からのデータと整定値情報などにより、予め定められたソフトウェア演算を実行し、演算結果より事故判定等を行う。また監視部３６から入力したデータ、および事故判定データ等を記憶部３２の予め定められた領域にログデータとして格納する。ＰＣ１と保護制御装置２とが通信するとき、ＰＣ１には保護制御装置２の記憶部３２からのデータが読出されて、表示部４３に表示される。これにより操作員は、電力系統５０の状態を確認することができ、また、操作部４５から入力した電力系統５０の制御に係る整定値情報等を、保護制御装置２に送信し格納（更新）することができる。
【００２７】
（機能構成とメモリ内容）
図４は、本発明の実施の形態１に係る保護制御装置２の機能構成図である。図４の機能の多くは、ＭＰＵ３１が実行するプログラムにより実現される。具体的には、各部に対応する機能は予めプログラムとして記憶部３２に格納されて、ＭＰＵ３１が記憶部３２からプログラムを読出し、実行することにより、その機能が実現される。なお、各機能は、プログラムのみならず回路とプログラムの組み合わせにより実現されてもよい。
【００２８】
ＭＰＵ３１は、通信Ｉ／Ｆ３４を介して受信した要求および指令を受付け、また要求元ＰＣ１に送信するべき情報を通信Ｉ／Ｆ３４に出力するために入出力処理部５１、受信した後述の申し送りメモ６０を記憶部３２に格納し管理するためのメモリ管理部５２、表示用データ９５を生成し、表示用データ９５に基づき表示部（ディスプレイ３３、表示部４３等）を制御するための表示制御部５３、および記憶部３２における申し送りメモ６０の削除を実施するための削除部５８を含む。
【００２９】
入出力処理部５１は、ＰＣ１から受信したスタート画面表示要求ＲＱ（以下、要求ＲＱともいう）、申し送りメモ６０、および申し送りメモ情報取得要求８０を通信Ｉ／Ｆ３４を介して入力する。また表示制御部５３が生成した表示用データ９５を要求元のＰＣ１に送信するために通信Ｉ／Ｆ３４に出力する。
【００３０】
メモリ管理部５２は、記憶部３２に申し送りメモの情報を格納するための格納部５４および記憶部３２から申し送りメモの情報を読出すための読出部５５を含む。表示制御部５３は、抽出表示制御部５６および順序付け表示制御部５７を含む。抽出表示制御部５６は、記憶部３２に格納された複数の申し送りメモの情報のうち選択的に抽出した情報から表示用データ９５を生成する。また、順序付け表示制御部５７は、記憶部３２に格納された複数の申し送りメモの情報のうち選択的に抽出した情報から、予め定めた規則に基づく順序に従い表示させるための表示用データ９５を生成する。生成された表示用データ９５は、入出力処理部５１および通信Ｉ／Ｆ３４を介してＰＣ１に送信される。ＰＣ１のＭＰＵ４１は、保護制御装置２から受信した表示用データ９５に従い画像を表示するように表示部４３を制御する。ここでは、表示用データ９５は、例えばＨＴＭＬ（HyperText  Markup  Language）データを含んで生成される。
【００３１】
図５は、本発明の実施の形態１に係るメモリの内容例を示す図である。図５を参照して記憶部３２のメモリ領域は、領域Ｅ１、Ｅ２およびＥ３を含む。領域Ｅ１には、後述する申し送りメモ６０の申し送り本体部６２が複数格納される。領域Ｅ２には、抽出表示制御部５６が領域Ｅ２から申し送り本体部６２を選択的に抽出するために参照するデータである抽出規則１０１、順序付け表示制御部５７が領域Ｅ２から申し送り本体部６２を選択的に抽出するために参照するデータである表示順規則１０２、および削除部５８が削除するべき申し送り本体部６２を領域Ｅ２から選択するために参照するデータである削除規則１０３が格納される。また、領域Ｅ２には、後述するヒエラルキー情報２００が格納される。領域Ｅ２に格納される情報は、適宜、更新（追加、削除等）することができる。
【００３２】
領域Ｅ３の不揮発性の記憶領域には、接続されたＰＣ１または操作員を識別するための情報が格納される。具体的には、ＰＣ１を操作する各操作員に割当てられたＩＤ（Identification）情報４２１、当該ＰＣ１のアドレス情報４２２、および当該ＰＣ１が所在する場所データ４２３が格納される。ＩＤ情報４２１は、対応する操作員を認証するためのユーザ名５１１およびパスワード５２１、当該操作員が属する部署を示す所属データ５３１、および当該操作員に閲覧（提示）が許可されている申し送りメモの内容を特定するためのライセンスデータ５４１を含む。場所データ４２３は、当該ＰＣ１が属する電気所１００を一意に識別するための情報を示す。なお、領域Ｅ３の情報は、例えばＰＣ１側から入力することができる。
【００３３】
なお、領域Ｅ３の情報がＰＣ１の記憶部４２に格納することもできる。その場合には、後述する図１９または図２０で入力されるユーザＩＤから、当該記憶部４２に格納されて情報の参照権限を識別する。
【００３４】
（ヒエラルキー情報）
図６と図７は、本発明の実施の形態に係るヒエラルキー情報を示す図である。ヒエラルキー情報は、表示制御部５３により表示用データ９５を生成する場合に参照され、また削除部５８により記憶部３２から情報を削除する場合に参照される。ヒエラルキー情報は、ＰＣ１または操作員の属性に関する図６（Ａ）〜（Ｃ）のヒエラルキー情報２０１〜２０３と、申し送り情報の属性に関する図７（Ａ）〜（Ｃ）のヒエラルキー情報２０４〜２０６とを含む。
【００３５】
図６（Ａ）のヒエラルキー情報２０１は操作員の所属に関して“管理員”、“電気所要員”および“全員（運転員以外も含む）”と階層構造で区分された情報を含み、当該階層構造には“管理員”→“電気所要員”→“全員”の順番で申し送り情報の表示を優先して表示するための優先度の値“１”、“２”および“３”が割当られる。図６（Ｂ）のヒエラルキー情報２０２は電力系統５０の運転管理能力に関して“専門家”、“運転員”および“全員”と階層構造で区分された情報を含み、当該階層構造には“専門家”→“運転員”→“全員”の順番で申し送り情報を優先して表示するための優先度“１”、“２”および“３”が割当られる。図６（Ｃ）のヒエラルキー情報２０３はＰＣ１の属する場所に関して“電気所内”、“電気所外”および“全員”階層構造で区分された情報を含み、当該階層構造には“電気所内”→“電気所外”→“全員”の順番で申し送り情報を優先して表示するための優先度“１”、“２”および“３”が割当られる。ヒエラルキー情報２０３に関し“全員”は、電気所内外を問わず全員に情報を表示するケースに適用される。なお、優先度は３＜２＜１の関係を有し、値が小さいほど他に優先して表示する度合いは高い。
【００３６】
図７（Ａ）のヒエラルキー情報２０４は申し送り情報のタイプ（種類）に関して電力系統５０の“整定値関係”、“試験関係”、“運転関係”および“その他（無分類）”と階層構造で区分された情報を含み、当該階層構造には“整定値関係”→“試験関係”→“運転関係”→“その他（無分類）”の順番で当該情報の重要度“３”、“２”および“１”が割当られる。重要度は３＜２＜１の関係を有し、値が小さいほど重要度は高い。図７（Ｂ）のヒエラルキー情報２０５は申し送り情報が示す内容に対処するための緊急度に関して“即対処要”、“１週間以内に対処要”および“直接対処は不要（参考情報）”と階層構造で区分された情報を含み、当該階層構造には“即対処要”→“１週間以内に対処要”→“直接対処は不要（参考情報）”の順番で対処の緊急度が“１”、“２”および“３”と割当られる。緊急度は３＜２＜１の関係を有し、値が小さいほど緊急度は高い。図７（Ｃ）のヒエラルキー情報２０６は申し送り情報が生成された時間に関して“現在〜Ｔ１”、それより過去の“Ｔ１〜Ｔ２”、さらに過去に遡る“Ｔ２〜Ｔ３”、さらに過去に遡る“Ｔ３〜”と階層構造で区分された情報を含み、当該階層構造には“現在〜Ｔ１”→“Ｔ１〜Ｔ２”→“Ｔ２〜Ｔ３”→“Ｔ３〜”の順番で申し送り情報の表示に関する優先度“１”、“２”および“３”が割当られる。
【００３７】
（通信情報の構成）
図８は、本発明の実施の形態に係る申し送りメモ６０の一例を示す図である。申し送りメモ６０はＰＣ１のＭＰＵ４１の申し送りメモ生成部により生成されて保護制御装置２に送信される。申し送りメモ６０は、ヘッダＨＥ、格納を指示するための格納指令６１および申し送り本体部６２を含む。
【００３８】
申し送り本体部６２は属性データ６３および申し送り情報６４を含む。申し送り情報６４は、電力系統５０の保護、監視および制御に関する情報であって、申し送りするべき伝言内容を示す。属性データ６３は、対応の申し送り情報６４が有する属性を示す。属性データ６３は、当該申し送りメモ６０が作成された日時を示す日時データ７１、申し送りメモ６０を作成した操作員の所属を示す所属データ７２、当該申し送りメモ６０の参照を許可する対象員を特定して示すための許可レベル７３、申し送りメモ６０が作成された場所を示す場所データ７４、申し送り情報６４の種類を示す種類データ７５、申し送りメモ６０について要求される対処の緊急度を示す緊急度データ７６、および当該申し送りメモ６０を領域Ｅ２から削除するための条件を示す削除条件７７を含む。
【００３９】
日時データ７１は、保護制御装置２のＭＰＵ３１のタイマにより計時した申し送りメモ生成時間を示す。場所データ７４は、保護制御装置２の記憶部３２（図５参照）から読出した場所データ４２３を示す。
【００４０】
図９は、本発明の実施の形態に係るＰＣ１が生成する申し送りメモ情報取得要求８０の構成を示す図である。申し送りメモ情報取得要求８０（以下、要求８０ともいう）はヘッダＨＥ、表示要求８１および要求本体部８２を含む。要求本体部８２は要求内容の属性を識別するための識別情報８３を有する。
【００４１】
識別情報８３が示す属性は、要求８０を生成した操作員の所属を示す所属データ９１、当該操作員に割当されたライセンスデータ９２、および当該要求の送信元のＰＣ１が属する電気所１００を識別するための要求元場所データ９３を含む。識別情報８３を構成する各データとして、ＰＣ１の操作員の所属データ５３１、ライセンスデータ５４１、および場所データ４２３それぞれが、接続先の保護制御装置２の記憶部３２（図５参照）から読出されて格納される。
【００４２】
ＭＰＵ４１は、操作部４５を介して受付けた操作員の操作内容から、記憶部３２の領域Ｅ３を検索し、検索によって読出したデータを用いて図９に示す要求８０を生成し、送信する。
【００４３】
申し送りメモ６０と要求８０は、たとえばパケット形式で生成される。ヘッダＨＥは当該パケットの種類（要求および申し送りメモ６０の別）、および送信元/宛先のアドレスが格納される。送信元アドレスとしては、送信元のＰＣ１のアドレス情報４２２が格納され、宛先アドレスとしては保護制御装置２のアドレスが格納される。保護制御装置２のアドレスは、ＰＣ１の記憶部４２に予め格納される。
【００４４】
保護制御装置２では、入出力処理部５１は通信Ｉ／Ｆ３４を介しパケットを受信すると、受信パケットのヘッダＨＥに基づきパケットの種類を判定する。申し送りメモ６０のパケットであると判定すると当該パケットをメモリ管理部５２に出力し、要求８０のパケットであると判定すると当該パケットを表示制御部５３に出力する。
【００４５】
なお、本実施の形態では、通信データはパケット形式を採用したが、フレーム形式であってもよく限定されるものではない。
【００４６】
（表示画面例）
図１０は、本発明の実施の形態１に係る申し送りメモ６０を入力する時の画面表示例を示す図である。図１１は、本発明の実施の形態１に係る受信した申し送りメモ６０の表示面画例を示す図である。
【００４７】
まず、ＰＣ１は保護制御装置２から受信した表示用データに基づき表示部４３に図１０の申し送りメモ入力用画面を表示する。この画面は、申し送り情報６４を入力するための領域４３１、既に入力された申し送り情報６４１を表示するための領域４３２、および各種ボタン画像を表示するためのボタン領域を含む。操作員は、操作部４５を操作して領域４３１へ申し送りメモ情報の入力を完了したときボタン領域の更新ボタン４３９を操作すると、領域４３１の申し送り情報６４は領域４３２に表示される。操作員は、入力した申し送り情報６４の属性（所属データ７２、許可レベル７３、場所データ７４、種類データ７５、緊急度データ７６および削除条件７７）を付与する場合に、ボタン画像４３３〜４３８の対応するボタンを操作して属性値を入力する。ＰＣ１の申し送りメモ生成部は、図１０の画面における入力情報に基づき図８の申し送りメモ６０のパケットを生成する。このとき、パケットの日時データ７１には保護制御装置２のＭＰＵ３１のタイマによる計時時間が格納される。生成されたパケットは、保護制御装置２に送信されて、記憶部３２の領域Ｅ１に格納される。ここでは、操作入力に画面上のボタン画像を用いることとしたが、画面上のプルダウンメニューまたはラジオボタンを用いて操作してもよい。
【００４８】
その後、操作員が保護制御装置２と通信を開始するための接続要求（以下、単に接続要求ともいう）を送信する操作をした時、要求８０が生成されてＰＣ１から保護制御装置２宛てに送信される。保護制御装置２は受信した要求８０を用いて記憶部３２から申し送りメモ６０を読み出し、申し送りメモ６０を用いて表示用データを生成し、要求元のＰＣ１に送信する。ＰＣ１は、受信した表示用データに基づく図１１の画面を表示部４３に表示する。図１１の画面では、操作員が残した申し送りメモ６０が領域４４０において申し送り情報６４として表示される。このように、操作員はＰＣ１を保護制御装置２に接続要求の送信操作をするだけで、申し送り情報６４を取得して確認することができる。
【００４９】
（通信シーケンス）
図１２は、本発明の実施の形態１に係る通信シーケンスの一例を示す図である。図１３と図１４は、図１２の通信シーケンスにおいて表示される画面例を示す図である。図１２では、ＰＣ１が保護制御装置２に伝送路５００を経由して接続する場合の通信シーケンスが示される。
【００５０】
ここでは、未だ、通信開始されていない状態（以下、未通信状態ともいう）とする。具体的には、伝送路５００がケーブルであれば、ＰＣ１の通信Ｉ／Ｆ４４の通信端子に当該ケーブル端子が接続されて通信開始可能な状態であるが未だ、通信データが送受信されていない状態である。また、伝送路５００が無線であれば、ＰＣ１の通信Ｉ／Ｆ４４は何らの無線信号（光信号等）も送受信していない状態である。
【００５１】
未通信状態において、まず、ＰＣ１の操作員が操作部４５からソフトウェア起動のための予め定めた操作をすると、ＭＰＵ４１は操作内容から接続要求を生成し通信Ｉ／Ｆ４４を介して保護制御装置２に対して送信する（ステップＳ１）。保護制御装置２は、当該接続要求を受信すると、要求元のＰＣ１に接続応答を送信する。これにより通信が開始する。
【００５２】
ＰＣ１では接続応答を受信すると、ＭＰＵ４１はスタート画面表示要求ＲＱ（以下、要求ＲＱともいう）を生成し、保護制御装置２に送信する（ステップＳ３）。ここで、スタート画面は予め定めたメニュー画面を示す。
【００５３】
保護制御装置２では、入出力処理部５１は要求ＲＱを受信すると、メモリ管理部５２と表示制御部５３に要求ＲＱを出力する。メモリ管理部５２は、要求ＲＱが示すスタート画面表示要求に基づき記憶部３２の領域Ｅ１に申し送りメモ情報、すなわち申し送り本体部６２が格納されているかを判定し、判定結果を表示制御部５３に出力する（ステップＳ５）。表示制御部５３は、判定結果に基づく表示用データ９５を生成し、格納の有無の判定結果（申し送りメモ情報の有無）と表示用データ９５とを格納したスタート画面表示応答を生成し、これを要求元のＰＣ１に送信する（ステップＳ７）。
【００５４】
ＰＣ１では、保護制御装置２からスタート画面表示応答を受信すると、ＭＰＵ４１はスタート画面表示応答を解析し、申し送りメモ情報である申し送り本体部６２が格納されているか否かを判定する（ステップＳ９）。申し送りメモ情報が格納されていない場合には（ステップＳ９でＮＯ）、表示部４３に画面（図１３参照）を表示させて、他の処理に移行する。
【００５５】
申し送りメモ情報が格納されていたと判定すると（ステップＳ９でＹＥＳ）、ＭＰＵ４１は、申し送りメモ情報取得要求８０（図６参照）を生成し保護制御装置２に送信する（ステップＳ１１）。
【００５６】
保護制御装置２では、入出力処理部５１は要求８０を受信すると、メモリ管理部５２と表示制御部５３に当該要求を出力する。メモリ管理部５２の読出部５５は、要求８０が示す表示要求８１に基づき記憶部３２の領域Ｅ１を検索し、当該申し送り本体部６２を領域Ｅ１から読出し、表示制御部５３に出力する（ステップＳ１３）。表示制御部５３は、読出された申し送り本体部６２から表示用データ９５を生成する。入出力処理部５１は、生成された表示用データ９５を格納した申し送りメモ情報取得応答を生成し（ステップＳ１５）、これを要求元のＰＣ１に送信する。
【００５７】
ＰＣ１のＭＰＵ４１は、受信した申し送りメモ情報取得応答の表示用データ９５に従い表示部４３を制御する。これにより、表示部４３は、申し送り情報６４を表示するためのスタート画面（図１４参照）を表示する（ステップＳ１７）。
【００５８】
本実施の形態によれば、操作員は、ソフトウェア起動操作をするだけで、すなわち未通信状態において保護制御装置２へ接続要求を送信する操作をするだけで、図１４のスタート画面の領域４４０において、保護制御装置２から受信した申し送り情報６４を確認することができる。
【００５９】
[実施の形態２]
本実施の形態２では、実施の形態１の変形例を説明する。図１５は、本発明の実施の形態２に係る通信シーケンスの一例を示す図である。図１６と図１７は、図１５の通信シーケンスにおいて表示される画面例を示す図である。図１５は、図１２の通信シーケンスの変形例を示す。具体的には、図１２のステップＳ９の前にステップＳ１７１が追加される。
【００６０】
図１５を参照して、ＰＣ１と保護制御装置２では伝送路５００を経由して接続する場合にステップＳ１〜Ｓ７の処理が前述と同様に実行されると、ＰＣ１では、保護制御装置２からスタート画面表示応答を受信する。ＭＰＵ４１はスタート画面表示応答を解析し、格納の有無の判定結果（申し送りメモ情報の有無）と表示用データ９５とから、表示部４３にスタート画面（図１６を参照）を表示させる（ステップＳ１７１）。その後は、図１２と同様に、ステップＳ９以降の処理が実行される。
【００６１】
図１６の画面では、申し送りメモが領域Ｅ１に格納されていたかを点灯によって報知するランプのアイコン９０が表示される。アイコン９０は、申し送りメモが格納されていた場合には点灯態様で表示されて、格納されていない場合には消灯態様で表示される。図１６は、格納されていた場合の表示態様を示す。アイコン９０の表示態様から、操作員は申し送りメモが格納されていたか否かを速やかに確認することができる。
【００６２】
図１７には、点灯表示されたアイコン９０に関連付けて申し送り情報６４がバルーン４４１の領域内に表示される態様が示される。申し送り情報６４は、図１４の領域４４０に代替して、点灯表示されたアイコン９０に関連付けてバルーン４４１の領域内に表示するようにしてもよい。例えば、ユーザがマウスを操作して点灯しているアイコン９０にタッチすると、バルーン４４１内において申し送り情報６４が表示されるとしてもよい。
【００６３】
[実施の形態３]
図１８は、本発明の実施の形態３に係る通信シーケンスの一例を示す図である。図１９と図２０は、図１８の通信シーケンスにおいて表示される画面例を示す図である。本実施の形態では、限定した操作員に申し送り情報を提示する場合を説明する。
【００６４】
まず、未通信状態において、ＰＣ１の操作員が操作部４５からソフトウェア起動の操作をすると、接続要求が保護制御装置２に対して送信される（ステップＳ１）。保護制御装置２は、当該接続要求を受信すると、要求元のＰＣ１に接続応答を送信する。これにより通信が開始する。
【００６５】
ＰＣ１では接続応答を受信すると、ＭＰＵ４１はスタート画面表示要求ＲＱを生成し、保護制御装置２に送信する（ステップＳ３ａ）。本実施の形態３のスタート画面は、予め定めたログイン画面を示す。
【００６６】
保護制御装置２では、入出力処理部５１は要求ＲＱを受信すると、メモリ管理部５２と表示制御部５３に要求ＲＱを出力する。メモリ管理部５２は、要求ＲＱが示すログイン用のスタート画面表示要求に基づき記憶部３２の領域Ｅ１に申し送りメモ情報、すなわち申し送り本体部６２が格納されているかを判定し、判定結果を表示制御部５３に出力する（ステップＳ５）。表示制御部５３は、判定結果に基づく表示用データ９５を生成し、格納有無の判定結果（申し送りメモ情報の有無）と表示用データ９５とを含むログインのスタート画面表示応答を生成し、これを要求元のＰＣ１に送信する（ステップＳ７ａ）。
【００６７】
ＰＣ１では、保護制御装置２からログインのスタート画面表示応答を受信すると、ＭＰＵ４１はスタート画面表示応答を解析し、申し送りメモ情報である申し送り本体部６２が記憶部３２に格納されていたか否かを判定する（ステップＳ９）。申し送りメモ情報が格納されていなかった場合には（ステップＳ９でＮＯ）、他の処理に移行する。このとき、表示用データ９５に基づく図１９に示すログイン画面が表示される。
【００６８】
申し送りメモ情報が格納されていたと判定すると（ステップＳ９でＹＥＳ）、ＭＰＵ４１は、申し送りメモ情報取得要求８０（図９参照）を生成し保護制御装置２に送信する（ステップＳ１１ａ）。
【００６９】
保護制御装置２では、要求８０を受信すると、上述したステップ１３の処理が実行されて、入出力処理部５１は、生成された表示用データ９５を格納した申し送りメモ情報取得応答を生成し（ステップＳ１５）、これを要求元のＰＣ１に送信する。この申し送りメモ情報取得応答の表示用データ９５はログイン画面の表示用データを含む。
【００７０】
ＰＣ１のＭＰＵ４１は、受信した申し送りメモ情報取得応答の表示用データ９５により表示部４３を制御する。これにより、表示部４３は、表示用データ９５に基づくログイン画面（図２０参照）が表示される。
【００７１】
図２０と図１９の画面を比較して、システムにログインするための認証情報であるユーザＩＤおよびパスワードを入力するための領域９２１および９３１が表示される点で両画面は共通するが、図２０では、申し送りメモ情報取得応答にて受信した申し送り情報６４が領域４４０に表示される点は図１９とは相違する。
【００７２】
本実施の形態によれば、操作員は、ソフトウェア起動操作により、すなわち未通信状態から保護制御装置２との通信の接続要求の操作をするだけで、図２０のログイン画面において、保護制御装置２から取得した申し送りメモを確認することができる。
【００７３】
[実施の形態４]
本実施の形態では、読出部５５が、領域Ｅ１の複数の申し送り情報６４のうち、選択的に情報を読出す。具体的には、読出部５５は、要求８０の識別情報８３に基づき、予め定めた抽出規則１０１に従い選択的に１つ以上の申し送り情報６４を領域Ｅ１から読出す。抽出表示制御部５６は抽出された申し送り情報６４を用いて表示用データ９５を生成し、これを要求元ＰＣ１に送信する。抽出規則１０１に従う抽出方法（１）〜（３）を説明する。
【００７４】
（選択的抽出方法１）
抽出規則１０１は、申し送り情報６４の伝達（提示）対象の操作員を予め特定するための規則を含む。例えば、伝達対象の操作員を、その所属から特定する。例えば、所属のうち優先度“１”以上の者と特定する場合には抽出規則１０１は『所属、１』を示す。すなわち、申し送り情報の提示対象は“１”以上の優先度が割当てされた者のみを対象にするとの規則を示す。
【００７５】
動作において、要求８０を受信すると、抽出規則１０１とヒエラルキー情報２０１とに従い、要求８０の所属データ９１が“管理員”を示すと判定した場合にのみ、読出部５５は、領域Ｅ１を検索する。すなわち、要求８０の要求元場所データ９３と同じ場所を示す場所データ７４を有する申し送り情報６４を領域Ｅ１から読出し、表示制御部５３に出力する。これにより、表示制御部５３は、“管理員”のみを対象にした申し送り情報６４の表示用データ９５を生成し要求元ＰＣ１に送信する。ＰＣ１では、操作員（管理員）に対して申し送り情報６４の画像が表示される。
【００７６】
同様にして、抽出規則１０１が『所属、（１，２）』を示す場合には、抽出規則１０１とヒエラルキー情報２０１とに従い、要求８０の所属データ９１が“管理員”または“当該電気要員”を示すと判定した場合にのみ、読出部５５は領域Ｅ１を検索する。具体的には、領域Ｅ１から要求８０の要求元場所データ９３と同じ場所を示す場所データ７４を有する申し送り情報６４を読出し、表示制御部５３に出力する。これにより、表示制御部５３は、“管理員”または“当該電気所要員”のみを対象にした申し送り情報６４を提示するための表示用データ９５を生成し要求元ＰＣ１に送信する。ＰＣ１では操作員（管理員または電気所要員）に対して申し送り情報６４の画像が表示される。
【００７７】
同様にして、抽出規則１０１が『所属、３』を示す場合には、抽出規則１０１とヒエラルキー情報２０１とに従い、“全員”を対象にして申し送り情報６４を読出すと判定する。すなわち、読出部５５は、領域Ｅ１から要求８０の要求元場所データ９３と同じ場所を示す場所データ７４を有する申し送り情報６４を読出し、表示制御部５３に出力する。表示制御部５３は、“全員”を対象に申し送り情報６４を提示するための表示用データ９５を生成し、要求元ＰＣ１に送信する。ＰＣ１では操作員の所属にかかわらず全員に対し申し送り情報６４の画像が表示される。
【００７８】
（選択的抽出方法２）
また、抽出規則１０１は、申し送り情報６４の伝達（提示）対象の操作員を予め特定するための規則として、伝達対象の操作員を、その能力から特定する。例えば、操作員のうち、その能力が優先度“１”以上の者と特定する場合には、抽出規則１０１は『能力、１』を示す。すなわち、“１”以上の優先度が割当てされた“専門家”のみを対象に申し送り情報を提示するとの規則を示す。
【００７９】
動作において、読出部５５は要求８０を受信すると、抽出規則１０１とヒエラルキー情報２０２とに従い、当該要求８０のライセンスデータ９２が“専門家”を示すと判定した場合にのみ、領域Ｅ１から読出を行う。したがって、ＰＣ１の操作員が専門家である場合にのみ、申し送り情報６４の画像が表示される。
【００８０】
同様にして、抽出規則１０１が『所属、（１，２）』を示す場合には、抽出規則１０１とヒエラルキー情報２０２とに従い、そのライセンスデータ９２が優先度“１”または“２”が割当てられた“専門家”または“運転員”を示すと判定した場合にのみ、読出部５５は、領域Ｅ１から申し送り情報６４を読出す。したがって、ＰＣ１の操作員が専門家または運転員である場合にのみ申し送り情報６４の画像が表示される。
【００８１】
同様にして、抽出規則１０１が『能力、３』を示す場合には、抽出規則１０１とヒエラルキー情報２０２とに従い、読出部５５は“全員”を対象にして申し送り情報６４を読出すと判定する。したがって、この場合には、ＰＣ１の操作員の能力にかかわらず全員に対し申し送り情報６４の画像が表示される。
【００８２】
（選択的抽出方法３）
抽出規則１０１は、申し送り情報６４の伝達（提示）対象の操作員をＰＣ１の操作場所から特定するための規則を含む。例えば、操作場所のうち優先度“１”以上の場所に存在するＰＣ１の操作者と特定する場合には、抽出規則１０１は『場所、１』を示す。すなわち、“１”以上の優先度が割当てされた“当該電気所内”のＰＣ１の操作者のみを対象に申し送り情報の提示をする規則を示す。
【００８３】
動作において、読出部５５は、要求８０を受信すると、抽出規則１０１とヒエラルキー情報２０３とに従い、要求８０の要求元場所データ９３が“当該電気所内”を示すと判定した場合にのみ、領域Ｅ１から読出しを行う。これにより、保護制御装置２と同じ“電気所内”のＰＣ１の操作員のみを対象に申し送り情報６４の画面が表示される。
【００８４】
同様にして、抽出規則１０１が『場所、２』を示す場合には、抽出規則１０１とヒエラルキー情報２０３とに従い、その要求元場所データ９３が優先度“２”が割当てられた“電気所外”を示すと判定した場合にのみ、読出部５５は、領域Ｅ１から申し送り情報６４を読出す。これにより、保護制御装置２とは異なる電気所のＰＣ１の操作員のみを対象に申し送り情報６４の画面が表示される。
【００８５】
同様にして、抽出規則１０１が『場所、３』を示す場合には、抽出規則１０１とヒエラルキー情報２０３とに従い、その要求元場所データ９３が優先度“３”が割当てられた“全員”を示すと判定した場合にのみ、読出部５５は、領域Ｅ１から申し送り情報６４を読出す。これにより、電気所内外を問わず遠方のＰＣ１の操作員に対しても申し送り情報６４の画面が表示される。
【００８６】
したがって、電気所の操作員は、他の電気所内の保護制御装置２への接続要求を送信する操作をするだけで、所望する他の電気所内の保護制御装置２に格納された申し送り情報を取得して確認することができる。これにより、操作員は、監視対象である電力系統５０の事故発生時等に、遠隔に位置する他の電気所内の申し送り情報を確認して、事故原因を判断し、また対処するための支援情報（整定値の変更、運転関係の情報等）を得ることが可能となる。
【００８７】
なお、抽出規則１０１は、上記の選択的抽出方法に示す２つ以上の規則を組合わせたものであってもよい。
【００８８】
[実施の形態５]
本実施の形態５では、領域Ｅ１から読出した申し送り情報６４を表示順規則１０２に従った順番で表示されるような表示用データ９５を生成する。具体的には、順序付け表示制御部５７は、領域Ｅ１から読出された１以上の申し送り情報６４を、要求８０の識別情報８３と、予め定めた表示順規則１０２とに従った順番で表示されるような表示用データ９５を生成する。表示順規則１０２に従う表示順番の決定方法（１）〜（３）を説明する。
【００８９】
（表示順番決定方法１）
表示順規則１０２は、“新しい順”に従い表示するための規則を含む。順序付け表示制御部５７は、領域Ｅ１から読出された１つ以上の申し送り情報６４を、表示順規則１０２に従い、日時データ７１が示す時間に基づき最近→過去の順に申し送り情報６４が表示されるような表示用データ９５を生成する。したがって、当該表示用データ９５要求元のＰＣ１の表示部４３には、当該表示用データ９５に従って１つ以上の申し送り情報６４が最近→過去の順に一覧（リスト）表示、または切替え表示される。操作者は、より新しい申し送り情報６４を過去の申し送り情報６４に優先して確認することができる。なお、この表示順序は、逆の過去→最近の順であってもよい。
【００９０】
（表示順番決定方法２）
表示順規則１０２は、情報タイプの“重要度順”に従い表示するための規則を含む。順序付け表示制御部５７は、領域Ｅ１から読出された１つ以上の申し送り情報６４を、対応の種類データ７５が示す申し送り情報６４の種類と、図７（Ａ）の情報タイプのヒエラルキー情報２０４とに従い重要度の高い→低いとなる順で表示するような表示用データ９５を生成する。図７（Ａ）のヒエラルキー情報２０４に従えば、種類データ７５が“整定値関係”→“試験関係”→運転情報関係，その他（無分類）の順に順序付けで表示される表示用データ９５が生成される。したがって、要求元のＰＣ１の表示部４３には、１つ以上の申し送り情報６４が“整定値関係”→“試験関係”→運転情報関係，その他（無分類）の順に従って一覧（リスト）表示、または切替え表示される。操作者は、電力系統５０の保護および制御に関してより重要な申し送り情報６４を他の申し送り情報６４に優先して確認することができる。
【００９１】
（表示順番決定方法３）
表示順規則１０２は、申し送り情報６４についての対処の緊急度の順番に従い表示するための規則を含む。順序付け表示制御部５７は、領域Ｅ１から読出された１つ以上の申し送り情報６４を、対応の緊急度データ７６が示す緊急度と、図７（Ｂ）のヒエラルキー情報２０５とに従い、緊急度の高い→低いとなる順で表示されるような表示用データ９５を生成する。図７（Ｂ）のヒエラルキー情報２０５に従えば、緊急度データ７６が“即対処要”→“１週間以内に対処要”→直接体対処は不要。参考情報運転情報“の順に順序付けで表示される表示用データ９５が生成される。したがって、要求元のＰＣ１の表示部４３には、１つ以上の申し送り情報６４が対処の緊急度の順に従って一覧（リスト）表示、または切替え表示される。操作者は、電力系統５０の保護および制御に関して緊急対処を要する申し送り情報６４を他の申し送り情報６４に優先して確認することができる。
【００９２】
（表示順番決定方法４）
表示順規則１０２は、申し送り情報６４についての“新しい順”と“情報タイプの重要度順”との組合わせから決定した値に従い表示するための規則を含む。例えば、（情報タイプの重要度Ｍ）×Ｋ＋（新しさＮ）＝Ｐで算出された値Ｐの昇順（または降順）に表示順番を決定する。
【００９３】
具体的には、読出された１つ以上の申し送り情報６４の種類データ７５と図７（Ａ）の情報タイプのヒエラルキー情報２０４とに従い、当該申し送り情報６４に割当てられる優先度の値（１，２，３）を決定し、それを情報タイプの重要度Ｍとする。また、日時データ７１が示す日と図７（Ｂ）の緊急度のヒエラルキー情報２０５とに従い、当該申し送り情報６４に割当てられる優先度の値（１，２，３）を新しさＮとする。また、Ｋ＝１０とする。その場合に、各申し送り情報６４を、当該申し送り情報６４についての算出値Ｐの昇順（または降順）に従って、一覧（リスト）表示または切替え表示される表示用データ９５が生成される。したがって、要求元のＰＣ１の表示部４３には、電力系統５０の保護および制御に関して、“新しい順”と“情報タイプの重要度”との組合わせから決定した順に従って申し送り情報６４が提示される。操作者は、電力系統５０の保護および制御に関して、より新しく、且つ重要な申し送り情報６４を他の申し送り情報６４に優先して確認することができる。
【００９４】
なお、実施の形態４と５を組合わせて適用してもよい。例えば、実施の形態４で抽出した申し送り情報６４を、実施の形態５で決定した順番に従い表示するような表示用データ９５を生成するとしてもよい。
【００９５】
本実施の形態によれば、電力系統５０の保護、制御に関して有用な申し送り情報を他の申し送り情報に優先して提示することができる。
【００９６】
[実施の形態６]
本実施の形態６では、削除部５８による処理を説明する。削除部５８は、新たな申し送り情報を格納可能な空き記憶領域を確保するために、領域Ｅ１における申し送り本体部６２を格納するための消費容量を削減する（データサイズを小さくする）。
【００９７】
本実施の形態では、領域Ｅ１には予め定めた記憶容量が割当てられていると想定する。削除部５８は、申し送り本体部６２を格納したことによる領域Ｅ１の消費データサイズを検出する。そして、検出データサイズと予め定めたデータサイズとを比較し、（検出消費データサイズ＞予め定めたデータサイズ）の条件が成立すると判定したとき、（削減方法１）〜（削減方法４）を用いて選択した情報を削除して、消費データサイズを削減する。なお、予め定めたデータサイズは、領域Ｅ１に割当られた記憶容量から取得される。
【００９８】
（削減方法１）
削除部５８は、領域Ｅ１の申し送り本体部６２のうち、その日時データ７１が示す日時が最も古い申し送り本体部６２を削除し、その結果、上述の条件が成立するかを判定する。成立する場合は、次に古い申し送り本体部６２を削除する。このように、（検出消費データサイズ＞予め定めたデータサイズ）の条件が不成立となるまで、すなわち新たな申し送り情報を格納可能な空き領域が確保されるまで、申し送り本体部６２を日時が古いものから順に領域Ｅ１から削除する。したがって、操作員に提示されて対処がとられた可能性の高い申し送り情報を削除して、空き記憶領域を確保することが可能となる。
【００９９】
（削減方法２）
上述の削減方法１の変形例として、同じ日時（同じ月、日等）のものが複数個有れば、種類データ７５が示す情報タイプの重要度に基づき、情報タイプの重要度の低いものから削除するとしてもよい。削除部５８は、申し送り本体部６２の種類データ７５が示す情報タイプとヒエラルキー情報２０４から、当該申し送り本体部６２の情報タイプの重要度を取得する。同じ日時（同じ月、日等）を示す複数の申し送り情報６４のうち、取得した情報タイプの重要度が低いものを他に優先して削除する。
【０１００】
また、削除部５８は上述の（表示順番決定方法４）で示した（情報タイプの重要度Ｍ）×Ｋ＋（新しさＮ）＝Ｐで算出された値Ｐの大きいものから、すなわち情報タイプの重要度の低い方の申し送り情報６４から削除するとしてもよい。
【０１０１】
（削減方法３）
また、領域Ｅ１に格納された申し送り情報６４に対応の削除条件７７に基づき、削除可能な申し送り本体部６２であるか否かを決定するようにしてもよい。具体的には、申し送りメモ６０を作成した操作者が、その情報の重要性から削除条件７７として“削除不可”を設定した申し送り情報６４については、上記の方法で削除対象として選択された場合であっても、あえて削除しない（削除対象から外す）としてもよい。
【０１０２】
（削減方法４）
また、削除部５８は申し送り本体部６２を領域Ｅ１から削除する場合には、削除する前に警告をＰＣ１の表示部４３から報知するとしてもよい。または、当該警告と併せて、または警告とは独立して削除してよいかの許可を操作員に問い合わせる情報を表示するとしてもよい。そして、ＰＣ１の操作員から削除許可の応答を受信したときに削除部５８は申し送り本体部６２を領域Ｅ１から削除する。
【０１０３】
また、申し送り本体部６２を削除するのに代替して、申し送り本体部６２のデータを圧縮する等してデータサイズを小さくすることで記憶領域を確保するようにしてもよい。そして、圧縮等された申し送り本体部６２は、圧縮されてから予め定められた時間が経過したときに領域Ｅ１から削除されるとしてもよい。
【０１０４】
本実施の形態によれば、保護制御装置２の領域Ｅ１を有効に活用できる。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０５】
２  電力系統保護制御装置、３２，４２  記憶部、３３  ディスプレイ、３５，４５  操作部、３６  監視部、４３  表示部、５０  電力系統、５１  入出力処理部、５２  メモリ管理部、５３  表示制御部、５４  格納部、５５  読出部、５６  抽出表示制御部、５７  順序付け表示制御部、５８  削除部、６０  申し送りメモ、６１  格納指令、６２  申し送り本体部、６３  属性データ、８０  申し送りメモ情報取得要求、９０  アイコン、９５  表示用データ、１００  電気所、１０１  抽出規則、１０２  表示順規則、１０３  削除規則、２００  ヒエラルキー情報、５００  伝送路、ＲＱ  スタート画面表示要求。
【図１】
2015154672.tif 000003
【図２】
2015154672.tif 000004
【図３】
2015154672.tif 000005
【図４】
2015154672.tif 000006
【図５】
2015154672.tif 000007
【図６】
2015154672.tif 000008
【図７】
2015154672.tif 000009
【図８】
2015154672.tif 000010
【図９】
2015154672.tif 000011
【図１０】
2015154672.tif 000012
【図１１】
2015154672.tif 000013
【図１２】
2015154672.tif 000014
【図１３】
2015154672.tif 000015
【図１４】
2015154672.tif 000016
【図１５】
2015154672.tif 000017
【図１６】
2015154672.tif 000018
【図１７】
2015154672.tif 000019
【図１８】
2015154672.tif 000020
【図１９】
2015154672.tif 000021
【図２０】
2015154672.tif 000022